【手続補正書】
【提出日】平成24年11月27日(2012.11.27)
【手続補正１】
【補正対象書類名】明細書
【補正対象項目名】０００９
【補正方法】変更
【補正の内容】
【０００９】
請求項１記載の発明は、調光制御装置であって、発光輝度を調整可能な光源と、上記光源を駆動するための駆動信号を出力する光源駆動手段と、上記光源駆動手段が出力する駆動信号の変化を遅延させる遅延手段と、上記光源の発光輝度の増減を指示する指示手段と、上記指示手段での指示に応じて上記遅延手段による遅延動作の実行の有無を切換える光源制御手段とを具備したことを特徴とする。
【手続補正２】
【補正対象書類名】明細書
【補正対象項目名】００１０
【補正方法】変更
【補正の内容】
【００１０】
請求項２記載の発明は、上記請求項１記載の発明において、上記光源の動作環境を検知する検知手段をさらに具備し、上記光源制御手段は、上記光源の発光輝度の増減を行う場合に、上記指示手段での指示か上記検知手段での検知結果かに応じて上記遅延手段による遅延動作の実行の有無を切換えることを特徴とする。
請求項３記載の発明は、上記請求項１または２記載の発明において、上記光源制御手段は、上記光源の発光輝度の増減を上記検知手段の検知結果に基づいて行う場合は上記遅延動作を実行することを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
請求項４記載の発明は、上記請求項１乃至３いずれか記載の発明において、上記光源制御手段は、上記遅延手段による遅延動作の実行する際に、上記光源駆動手段が出力する駆動信号を強調する強調手段をさらに具備したことを特徴とする。
【手続補正６】
【補正対象書類名】明細書
【補正対象項目名】００１４
【補正方法】変更
【補正の内容】
【００１４】
請求項５記載の発明は、上記請求項１乃至４いずれか記載の発明において、上記光源は、複数の光源素子を有し、上記遅延手段は、上記光源の複数の光源素子に対して駆動信号の変化期間が互いに異なるように順次遅延させることを特徴とする。
【手続補正７】
【補正対象書類名】明細書
【補正対象項目名】００１５
【補正方法】変更
【補正の内容】
【００１５】
請求項６記載の発明は、上記請求項１乃至３いずれか記載の発明において、上記光源は、複数の光源素子を有し、上記光源制御手段は、上記遅延手段による遅延動作の実行する際に、上記光源駆動手段が出力する駆動信号を強調する強調手段をさらに具備し、上記光源制御手段は、上記光源の複数の光源素子に対して駆動信号の変化当初に設定する、前記強調手段によって強調される前記光源駆動手段が出力する駆動信号の強調期間の長さが互いに異なるように駆動信号を供給することを特徴とする。
請求項７記載の発明は、上記請求項２乃至６いずれか記載の発明において、上記検知手段は、上記光源の温度及び輝度の少なくとも一方を検知することを特徴とする。
請求項８記載の発明は、上記請求項１乃至７いずれか記載の発明において、上記光源制御手段は、上記遅延動作の実行の有の場合、遅延特性を任意に変化させることを特徴とする。
請求項９記載の発明は、上記請求項１乃至８いずれか記載の発明において、上記遅延手段は、予め設定した積分定数を有する積分回路により構成することを特徴とする。
【手続補正８】
【補正対象書類名】明細書
【補正対象項目名】００１６
【補正方法】変更
【補正の内容】
【００１６】
請求項１０記載の発明は、発光輝度を調整可能な光源と、上記光源を駆動するための駆動信号を出力する光源駆動部と、上記光源駆動部が出力する駆動信号の変化を遅延させる遅延部とを備える光源装置での調光制御方法であって、上記光源の発光輝度の増減を指示する指示工程と、上記指示工程での指示に応じて上記遅延部による遅延動作の実行の有無を切換える光源制御工程とを有したことを特徴とする。
【手続補正９】
【補正対象書類名】明細書
【補正対象項目名】００１７
【補正方法】変更
【補正の内容】
【００１７】
請求項１１記載の発明は、投影装置であって、請求項１乃至９いずれか記載の調光制御装置と、画像信号を入力する入力手段と、上記光源からの光を用い、上記入力手段で入力した画像信号に基づく光像を形成して出射する投影手段とを具備したことを特徴とする。
【手続補正１０】
【補正対象書類名】特許請求の範囲
【補正対象項目名】全文
【補正方法】変更
【補正の内容】
【特許請求の範囲】
【請求項１】
発光輝度を調整可能な光源と、
上記光源を駆動するための駆動信号を出力する光源駆動手段と、
上記光源駆動手段が出力する駆動信号の変化を遅延させる遅延手段と、
上記光源の発光輝度の増減を指示する指示手段と、
上記指示手段での指示に応じて上記遅延手段による遅延動作の実行の有無を切換える光源制御手段と
を具備したことを特徴とする調光制御装置。
【請求項２】
上記光源の動作環境を検知する検知手段をさらに具備し、
上記光源制御手段は、上記光源の発光輝度の増減を行う場合に、上記指示手段での指示か上記検知手段での検知結果かに応じて上記遅延手段による遅延動作の実行の有無を切換える
ことを特徴とする請求項１記載の調光制御装置。
【請求項３】
上記光源制御手段は、上記光源の発光輝度の増減を上記検知手段の検知結果に基づいて行う場合は上記遅延動作を実行する
ことを特徴とする請求項２記載の調光制御装置。
【請求項４】
上記光源制御手段は、上記遅延手段による遅延動作の実行する際に、上記光源駆動手段が出力する駆動信号を強調する強調手段をさらに具備したことを特徴とする請求項１乃至３いずれか記載の調光制御装置。
【請求項５】
上記光源は、複数の光源素子を有し、
上記遅延手段は、上記光源の複数の光源素子に対して駆動信号の変化期間が互いに異なるように順次遅延させる
ことを特徴とする請求項１乃至４いずれか記載の調光制御装置。
【請求項６】
上記光源は、複数の光源素子を有し、
上記光源制御手段は、上記遅延手段による遅延動作の実行する際に、上記光源駆動手段が出力する駆動信号を強調する強調手段をさらに具備し、
上記光源制御手段は、上記光源の複数の光源素子に対して駆動信号の変化当初に設定する、前記強調手段によって強調される前記光源駆動手段が出力する駆動信号の強調期間の長さが互いに異なるように駆動信号を供給する
ことを特徴とする請求項１乃至３いずれか記載の調光制御装置。
【請求項７】
上記検知手段は、上記光源の温度及び輝度の少なくとも一方を検知することを特徴とする請求項２乃至６いずれか記載の調光制御装置。
【請求項８】
上記光源制御手段は、上記遅延動作の実行の有の場合、遅延特性を任意に変化させる
ことを特徴とする請求項１乃至７いずれか記載の調光制御装置。
【請求項９】
上記遅延手段は、予め設定した積分定数を有する積分回路により構成することを特徴とする請求項１乃至８いずれか記載の調光制御装置。
【請求項１０】
発光輝度を調整可能な光源と、上記光源を駆動するための駆動信号を出力する光源駆動部と、上記光源駆動部が出力する駆動信号の変化を遅延させる遅延部とを備える光源装置での調光制御方法であって、
上記光源の発光輝度の増減を指示する指示工程と、
上記指示工程での指示に応じて上記遅延部による遅延動作の実行の有無を切換える光源制御工程と
を有したことを特徴とする調光制御方法。
【請求項１１】
請求項１乃至９いずれか記載の調光制御装置と、
画像信号を入力する入力手段と、
上記光源からの光を用い、上記入力手段で入力した画像信号に基づく光像を形成して出射する投影手段と
を具備したことを特徴とする投影装置。